(57)【要約】【課題】複数のレーザ送信器から、レーザビームに変調されたデータの受信を行うレーザ受信器に関し、レーザ送信器から送信されるレーザビームのパターンの広がりに関わらず、レーザ送信器からの距離に依存しない一定のデータ受信範囲を得ること、すなわちデータ伝達の直進性を得ること。また、天候に依存しない一定のデータ受信範囲を得る。【解決手段】レーザビームを受信した際、予め求めたデータ受信範囲毎のレーザ送信器とレーザ受信器の距離と受光レベルとの関係に基づき、該距離に加えてレーザ受信器における受光レベルを参照して、レーザビームの受光判定として例えば受信データが有効か無効かを判定する。また、レーザビームを受光した際、上記の距離と受光レベルに加えて、天候情報を参照して受光したレーザビームに変調されたデータの有効／無効を判定する。更に、このようなレーザ送信器及び受信器を模擬射撃訓練システムに用いるような場合、上記の距離に加えて受光レベルを参照して命中判定を行う。【選択図】　　　図１
2004077080.tif 000002
【特許請求の範囲】
【請求項１】
レーザ送信器からのレーザビームを受信するレーザ受信器において、
該レーザビームの受光レベルを検出するレベル検出手段と、
該レーザ送信器との間の距離を検出する距離検出手段と、
設定されたレーザ送信器とレーザ受信器との間の距離と受光レベルとの関係に基づき、該検出した距離と受光レベルに基づいて受信判定する判定手段と、
を備えたことを特徴とするレーザ受信器。
【請求項２】
請求項１において、
該判定手段が、該検出した距離と受光レベルに加えて、設定された天候情報に基づいて、該受信判定を行うことを特徴としたレーザ受信器。
【請求項３】
請求項１において、
該レーザ受信器が人や車両に取り付けられており、該レーザ送信器が、銃器を模擬したもの、又は銃器に取り付けたものであり、該判定手段は、該受信判定として、模擬射撃の命中、非命中を判定することを特徴とするレーザ受信器。
【請求項４】
請求項１において、
該レーザビームは弾種情報を含んでおり、該受信レーザビームから弾種情報を抽出する抽出手段を更に備え、該判定手段は、該受信判定として、該距離と該受光レベルに加えて該弾種情報を参照して、模擬射撃の命中、非命中を判定することを特徴としたレーザ受信器。
【発明の詳細な説明】
【０００１】
【発明の属する技術分野】
本発明はレーザ送信器に関し、特に複数のレーザ送信器と複数のレーザ受信器間で、レーザビームを用いてデータの送受信を行なう通信システムに用いるレーザ受信器に関するものである。
【０００２】
レーザビームを用いた通信の利点は、空間におけるデータ伝達の直進性（レーザ送信器の光軸をレーザ受信器に対して直線的に調整することで送受信器間で１対１の通信を行うこと）が存在するため、例えば、射撃の模擬訓練システムなどに用いられて来ている。
【０００３】
【従来の技術】
図８には、一般的なレーザ送信器の構成例が示されており、筐体１１の中に、送信部１２を有し、この送信部１２の中には駆動回路１３が設けられている。この駆動回路１３がレーザダイオード１４を駆動することにより光学レンズ１５を経由してレーザビーム１６が発射されるようになっている。なお、このレーザビームのパターンは、レーザダイオード１４と光学レンズ１５の種類、レーザダイオード１４と光学レンズ１５の距離、並びに送信電力などにより決まるものである。
【０００４】
図９には、このようなレーザ送信器から発射されたレーザビームのパターンの一例が示されている。図中、横軸はレーザ送信器からの距離を示し、縦軸はデータの受信範囲を示している。
このようなレーザビームは、図示の如く、一定の広がり角を持った円錐形のパターンを呈しており、レーザ受信器の受光感度（受信データを有効と判定する基準の受光レベル）を一意に決めた場合、レーザ送信器からの距離が離れるほど受信範囲が広がり、データ伝達の直進性が成立しないことを示している。
【０００５】
すなわち、図示の例において、レーザ受信器の受光感度を０．３ｍＶとした場合、レーザ送信器に近い断面Ａの位置（距離２ｋｍ）では、レーザ受信器においてデータを受信する範囲が半径０．７５ｍの円となるのに対し、レーザ送信器から遠ざかるにつれて、断面Ｂの位置（同４ｋｍ）では、半径１．３ｍの円となり、断面Ｃの位置（同６ｋｍ）では半径１．８ｍの円となり、同じ０．３ｍＶの受光感度であっても、レーザ送信器から離れるに従ってその受信範囲が広がり、レーザビームの直進性が保たれなくなることが示されている。
【０００６】
また、このようなレーザビームのパターンは、雨や霧などでレベルの減衰が生じるため、天候に応じてデータの伝達性が異なるという特長もある。
【０００７】
【発明が解決しようとする課題】
上記のように、レーザ送信器から発射されたレーザビームのパターンは一定の広がり角を有し、以ってレーザ送信器とレーザ受信器との距離によってはデータ伝達の直進性が成立しないという特性があることから、レーザ受信器の受光感度を一意に決めた場合、レーザ送信器から近い位置ではレーザ受信器でデータを受信する範囲が狭く光軸上になるのに対し、レーザ送信器から遠い位置ではレーザ受信器でデータを受信する範囲が広く、光軸上以外でもデータを受信してしまうという問題がある。
【０００８】
以下、これについて図１０及び図１１を用いて説明する。
今、図１０に示すようにレーザビームを使用した通信システムを考えた場合、レーザ送信器３１から発射されたレーザビームは、レーザ受信器３２及び３３においてはレーザ送信器３１からの距離が短いため、ビームパターンが狭いことに因り光軸を綿密に調整することで的確に１対１の送受信が可能となるが、レーザ送信器３１から数キロメートル離れた地点Ｐ付近に位置するレーザ受信器３４でデータを受信するときには、ビームパターンが広くなっているため、その近くに位置するレーザ受信器３５も同じデータを受信してしまうことになる。
【０００９】
このような通信システムを模擬射撃訓練システムに適用した場合のイメージ例が図１１に示されている。
すなわち、戦車４１に、射撃に伴い実弾を模擬したレーザビームを送信するレーザ送信器３１を搭載し、戦車４２〜４５にそれぞれレーザ受信器３２〜３５を搭載している。そして、戦車４１のレーザ送信器３１から戦車４２〜４５にそれぞれ搭載したレーザ受信器３２〜３５に対して、実弾を模擬したレーザビームを発射することにより、各レーザ受信器３２〜３５において一定の受光レベルを上回るか否かで射撃の命中又は非命中（レーザビームの受信の有効又は無効）をそれぞれ判定するシステムになっている。
【００１０】
このようなシステムにおいて、レーザ送信器３１から戦車４２及び４３にそれぞれ搭載されたレーザ受信器３２及び３３にレーザビームを照射する際には、ビームパターンが狭いため、実弾の命中範囲に則した命中判定が可能となる。
しかしながら、レーザ送信器３１から数キロメートル離れた地点Ｐに位置する戦車４４に対して模擬射撃する際は、ビームパターンが広くなっているため、例えば実弾では命中しない筈の戦車４５においてもレーザ受信器３５でレーザビームを受信してしまい、命中と判定されてしまうという問題があった。
【００１１】
さらに、戦車弾、ロケット弾、小銃の弾というような弾種毎の命中範囲や射程距離を模擬するためには、銃器の種類毎に違ったビームパターンを形成するレーザビームを送信するレーザ送信器が必要になるという問題もあった。
従って本発明は、レーザ送信器からのレーザビームの受信を行うレーザ受信器において、レーザビームの直進性を図ることを目的とする。好ましくは、レーザ送信器から送信されるレーザビームのパターンの広がりに関わらず、レーザ送信器からの距離を考慮してレーザビームの受信範囲の適性化を図ることを目的とする。
【００１２】
また、レーザビームは雨や霧等でそのレベルが減衰するため、天候に応じてデータの伝達性が異なることに鑑み、天候を考慮してレーザビームの受信範囲の適性化を図ることを目的としている。
更には、このようなレーザ受信器が、模擬射撃訓練に使用できることを目的としている。
【００１３】
【課題を解決するための手段】
上記の目的を解決するため、本発明に係るレーザ受信器は、該レーザビームの受光レベルを検出するレベル検出手段と、該レーザ送信器との間の距離を検出する距離検出手段と、設定されたレーザ送信器とレーザ受信器との間の距離と受光レベルとの関係に基づき、該検出した距離と受光レベルに基づいて受信判定する判定手段と、を備えたことを特徴としている。
【００１４】
すなわち、本発明では、レベル検出手段でレーザ送信器からのレーザビームの受光レベルを検出する。
そして判定手段は、距離算出手段によって算出された距離と受光レベルを参照して、該レーザビームの受信判定を行う。なお、このとき、受光感度（該データを有効と判定する受光レベル）はレーザ送信器とレーザ受信器の距離毎に予め設定しておく。
【００１５】
このようにして、本発明のレーザ受信器では、レーザ送信器からの距離に影響されない一定のデータ受信範囲を得ることが可能となる。
上記の本発明において、さらに天候情報（データ）を取得する手段を設けておき、該判定手段は、上記の距離と受光レベルに加えて、その天候情報をも参照し、レーザビームの受信判定を行う。
【００１６】
これにより、天候情報毎にレーザ送信器とレーザ受信器の距離毎の受光感度を予め設定しておくことで、天候にも影響されない一定のデータ受信範囲が得ることができる。
また、上記の本発明を模擬射撃訓練システムにおいて使用する場合、該受信判定として、模擬射撃の命中、非命中を判定することができる。
【００１７】
これにより、模擬射撃訓練システムにおいて、実弾の命中範囲に則した命中判定を行うことができる。
そして上記の本発明において、レーザビームが弾種情報を含んでいる場合、レーザ送信器とレーザ受信器の距離と受光レベルに加えて該弾種情報も参照して模擬射撃の命中及び非命中の判定を行う。
【００１８】
これにより、弾種毎にレーザ送信器とレーザ受信器の距離毎の受光レベルを設定（レーザ受信器に記憶）しておくことで、弾種毎に違ったレーザビームを送信するレーザ送信器を必要とすることなく、弾種に応じた命中範囲や射程距離を模擬することが可能となる。
【００１９】
【発明の実施の形態】
図１は、本発明に係るレーザ受信器の実施例を示したもので、この実施例では、受光素子１とレベル検出回路２と制御器３とで構成されている。
この内、レベル検出回路２は、受光素子１と共にレベル検出手段を構成し、受光素子１の電気出力信号を１００倍に増幅するアンプ２０と、このアンプ２０の出力信号をそれぞれリファレンス（基準）電圧ＶＲ１，ＶＲ２，ＶＲ３，ＶＲ４，及びＶＲ５と比較し、その大小判定を行うコンパレータ２１，２２，２３，２４，及び２５とで構成されている。そして、制御器３は、これらのコンパレータ２１〜２５の各出力信号２１０，２２０，２３０，２４０，及び２５０を入力してデータの有効又は無効を判定するものであり、位置標定器３０を内蔵している。位置標定器３０は、レーザ受信器自身の位置標定を行うものである。
【００２０】
なお、レベル検出回路２におけるリファレンス電圧ＶＲ１〜ＶＲ５は、後述する例（図３）に則してそれぞれ、５．０Ｖ，２．１Ｖ，１．５Ｖ，０．３Ｖ，及び０．０３Ｖに設定されており、これらのリファレンス電圧ＶＲ１〜ＶＲ５を閾値として、コンパレータ２１〜２５がそれぞれＯＮ／ＯＦＦ出力信号２１０〜２５０を制御器３に与えることにより、レーザビームの受信判定として、受信データの有効／無効判定を行う。
【００２１】
図２は、図１に示した、距離算出手段と判定手段の各機能を備えた制御器３の動作例（１）を示したものである。以下、この動作例（１）に沿って図１に示した実施例の動作を説明する。
まず制御器３は、コンパレータ２５からの出力信号２５０を受信したか否かを判定する（ステップＳ１）。ここで、信号２５０を受信している場合には、受光素子１からアンプ２０を経由した受光レベルが、最も低い閾値であるリファレンス電圧ＶＲ５＝０．０３Ｖを越えていることを示しているので、以下のステップに進む。なお、この信号２５０は、レーザ送信器からのデータ信号としても制御器３に与えられることとなる。
【００２２】
次に、制御器３は、信号２５０よりレーザ送信器の位置情報を復調する（ステップＳ２）。この例では、レーザ送信器は、その位置情報でレーザビームを変調しているものとする。
このようなレーザ送信器における位置情報の変調について、以下に簡潔に説明する。
【００２３】
レーザ送信器には、位置標定機能を与える位置標定器が設けられており、この位置標定器としては例えばＧＰＳ（Ｇｌｏｂａｌ　Ｐｏｓｉｔｉｏｎｉｎｇ　Ｓｙｓｔｅｍ）受信機を用いており、実際には、高速移動する状態においても対応できるようにするため、位置標定間隔が短い、例えば１秒当たり２０回程度測位が可能なＧＰＳ受信機を用いる。
【００２４】
そして、ＧＰＳ受信機の出力データから必要なデータを抜き出して、ＧＰＳ受信機のデータ出力間隔でメモリ内容を更新して記録し、常に最新の位置情報と時刻情報を保持するようにしている。
この場合のＧＰＳ受信機の出力フォーマットの内、時刻情報であるＧＰＳ　Ｔｉｍｅと位置情報であるＵＴＭ座標と高度のみを抜き出す。
【００２５】
ＧＰＳ受信機の位置情報出力データ形式は、局地平面座標形であるＵＴＭ座標形式となるように予めＧＰＳ受信機を設定しておく。
ＧＰＳ時間は日本時刻の０：００が０秒で与えられ、以降、一日周期で繰り返すように予め受信機を設定しておく。高度は所定地域の基準面を定め、その高度を０ｍとして出力するように予めＧＰＳ受信機を設定しておく。
【００２６】
このように、レーザビームのデータ内容とデータの一例を下記の表１に示す。
【００２７】
【表１】
2004077080.tif 000003
【００２８】
時刻は、自装置のメモリに記録されているＧＰＳ時刻とし、位置情報はメモリに記録されているＵＴＭ座標による最新の位置情報としている。このような位置情報がレーザビーム上のデータに含まれた形でレーザ送信器からレーザ受信器に送信されることとなる。
【００２９】
制御器３は、ステップＳ２で得たレーザ送信器の位置情報と位置標定器３０より得られる自身の位置情報から、レーザ送信器とレーザ受信器との距離を検出する（ステップＳ３）。すなわち、ステップＳ２で求めたレーザ送信器の位置情報とレーザ受信器の制御器３に設けられている位置標定器３０から得られる自分自身の位置情報とにより、レーザ送信器とレーザ受信器との距離を算出することができる。
【００３０】
なお、距離測定の手法としては、レーザ送信器の位置を別途無線で、レーザ受信器が受信し、自己の位置を参照して求める等、種々の手法がある。
この後、制御器３は、設定記憶された天候情報を参照し、この天候情報が晴れを示しているか否かを判定する（ステップＳ４）。天候情報が晴れを示している場合（ＹＥＳ）には以下のステップに進むが、その他の天候情報の場合（ＮＯ）には天候情報毎のフローに沿って判定を行うこととなる（ステップＳ４０）。
【００３１】
なお、レーザ受信器において天候情報を設定記憶する方法としては、レーザ受信器における操作ボタンによる入力によって行う場合、外部から別途受信した無線信号又は受信レーザビームから抽出する場合がある。
天候情報としては、晴れ、雨、霧、豪雨等を設ける。雨、霧の際はレーザビームが空中で乱反射し、レベルが減衰するため、晴れの場合に比べて受光レベルがより低いレーザビームの受信判定として受信データを有効とする。すなわち、有効と判定する基準のレベルを下げる。
【００３２】
豪雨の際は雨や霧以上にレーザビームが空中で乱反射し、レベルが減衰するため、更に受光レベルの低いレーザビームの受信判定として受信データも有効とする。
このように、ステップＳ４及びＳ４０においては、レーザ送信器とレーザ受信器との距離と、レーザ受信器における受光レベルに加えて天候情報を参照してレーザビームの受信判定として、例えば、受信データの有効／無効を判定することで、天候を考慮した受信範囲を得ることが可能となる。
【００３３】
以下の各ステップは天候情報が晴れを示している場合に実行されるものである。なお、天候を考慮せずステップＳ４をスキップしステップＳ３からＳ５に移行することもできる。
まずステップＳ３で求めた距離が６ｋｍ以上であるか否かを判定する（ステップＳ５）。この結果、距離が６ｋｍ以上であることが分かった場合（ＹＥＳ）には、受信判定として受信データを無効と判定する（ステップＳ１２）が、そうでない場合（ＮＯ）にはステップＳ６に進む。
【００３４】
ここで、このステップＳ５における判定を説明するために、図３において、レーザ送信器と受信器の距離と受光レベルとを参照した際のデータ受信範囲について説明する。
図１に示したリファレンス電圧ＶＲ１〜ＶＲ５（データを有効とするアンプ２０の出力に対する閾値）が、上記のように値を設定した場合、図９に示したパターンを有するレーザビームを受光したとき、データの有効／無効判定を行うと、レーザ送信器とレーザ受信器の距離毎のデータ受信範囲は図３に示すような値となる。
【００３５】
言い換えると、図９のレーザビームパターンにおいて、距離が「２ｋｍ」、「３ｋｍ」、「４ｋｍ」、及び「６ｋｍ」のとき、データ受信範囲を共通の半径０．７５ｍとすると、距離毎の受光感度はそれぞれ“０．０３Ｖ”，“０．３Ｖ”，“０．５Ｖ”，及び“０．１Ｖ”となることが分かるので、リファレンス電圧ＶＰＩ〜ＶＲ５は、これに対応させたものである。
【００３６】
なお、図９の場合には図１においてアンプ２０で１００倍してあるので、受信レベルは１００分の１に換算して目盛ってある。
このように、ステップＳ５において、距離が６ｋｍ以上であれば信号２１０〜２５０の如何に関わらずレーザビームのパターンの広がり角が大きすぎて受信したレーザビームの信頼性が低いために、無効判定する。
【００３７】
距離が６ｋｍ未満であることが分かったとき（ＮＯ）には、今度は図３に対応して４ｋｍ以上であるか否かを判定する（ステップＳ６）。この結果、距離が４ｋｍ以上である場合（ＹＥＳ）には、図３に示すように距離が４ｋｍ以上で６ｋｍ未満であることが分かるで、受光レベルは２．１Ｖ以上なければならないことになり、制御器３は次にコンパレータ２２からの出力信号２２０を受信したか否かを判定する（ステップＳ７）。
【００３８】
この結果、信号２２０を受信しているとき（ＹＥＳ）、すなわちアンプ２０の出力電圧がリファレンス電圧ＶＲ２＝２．１Ｖを越えていることを示しているので、受信判定としてデータは有効と判定されるが（ステップＳ１３）、そうでない場合（ＮＯ）には受信判定としてデータを無効と判定する（ステップＳ１２）。
【００３９】
ステップＳ６において距離が４ｋｍ未満であることが分かった場合（ＮＯ）には、今度は３ｋｍ以上であるか否を判定する（ステップＳ８）。
この結果、距離が３ｋｍ以上で４ｋｍ未満であれば（ＹＥＳ）、図３に示すように受信レベルは１．５Ｖ必要であるので、これに対応する信号２３０が受信されているか否かを判定する（ステップＳ９）。
【００４０】
この結果、信号２３０を受信しているとき（ＹＥＳ）には、アンプ２０の出力電圧はリファレンス電圧ＶＲ３＝１．５Ｖを越えていることになるので、受信判定としてデータを有効と判定とする（ステップＳ１３）が、そうでない場合（ＮＯ）には受信判定としてデータを無効と判定する（ステップＳ１２）。
【００４１】
ステップＳ８において距離が３ｋｍ未満であることが分かったとき（ＮＯ）には今度は距離が２ｋｍ以上であるか否かを判定する（ステップＳ１０）。
この結果、距離が２ｋｍ以上で３ｋｍ未満であることが分かったとき（ＹＥＳ）には、図３に示すように受信レベルは０．３Ｖ必要であるので、コンパレータ２４の出力信号２４０が受信されたか否かを判定し（ステップＳ１１）、信号２４０が受信されている場合（ＹＥＳ）には必要なレベルが確保されているので受信判定としてデータを有効と判定する（ステップＳ１３）が、そうでない場合（ＮＯ）には受信判定としてデータを無効と判定する（ステップＳ１２）。
【００４２】
ステップＳ１０において距離が２ｋｍ未満であることが分かった場合（ＮＯ）には、受信判定としてデータは有効と判定する（ステップＳ１３）。
図４は、上述したレーザ送信器とレーザ受信器との距離毎の受光感度（データを有効とするアンプ２０の出力レベル）を表にまとめて示したものであり、これを予め制御器３に設定（例えば記憶）しておけばよい。
【００４３】
なお、図１におけるレベル検出回路２については、５つのコンパレータ２１〜２５を用いて示したが、コンパレータの数を増やすか、或いはＡ／Ｄ変換回路などを用いることにより、一層細かい距離毎に受光感度（受信判定としてデータを有効とする受光レベル）を設定することが可能である。
【００４４】
このように、レーザビームを受光した際、レーザ受信器における受光レベルに加えてレーザ送信器とレーザ受信器との距離を参照し、受光したレーザビームに変調されたデータが有効か無効かを判定することで、レーザ送信器が送信するレーザビームの広がりに関わらず、受信範囲の適性化を図ること（データ伝達の直進性を図ること）が可能となる。
【００４５】
図５は、図１に示した制御器３の動作例（２）を示したものである。この動作例（２）と図２に示した動作例（１）との違いは、レーザ送信器及びレーザ受信器を図１１に示したような模擬射撃訓練システムに適用したことである。
具体的には、動作例（１）におけるステップＳ２の代わりに、レーザ送信器の位置情報と弾種情報を復調するステップＳ２１を用いていること、及びステップＳ３とステップＳ４との間にステップＳ２２を設け、ステップＳ２１で復調した弾種情報がロケット砲であるか否かを判定し、ロケット砲でない場合にはステップＳ２２０に進むが、ロケット砲である場合には動作例（１）と同様にステップＳ４以下のプロセスを実行することである。
【００４６】
すなわち、図１の実施例のようにリファレンス電圧ＶＲ１〜ＶＲ５を一例として設定し、図９に示すパターンを有するレーザビームを受光したとき、この図５のフローチャートに従って命中判定を行うと、ロケット砲による命中範囲は図３に示したものと同様となる。従って、ステップＳ２２で弾種がロケット砲であることが分かれば、図２に示した動作例（１）と同様にステップＳ４以降を実行すれば良い。（なお、弾種情報は、上記の表１に示す如く、位置情報と同様にレーザ送信器からのレーザビームから抽出した情報から得られる。）
これにより、レーザ送信器からの距離に依存せずに、ロケット砲の命中範囲約半径０．７５ｍの円、射程距離約６ｋｍを満たすことになる。
【００４７】
一方、ステップＳ２２において弾種情報がロケット砲でないことが分かった場合には、図６に示したルーチン（ステップＳ２２０）を実行する。
すなわち、まず上記の弾種がロケット砲でなく、戦車弾であるか否かを判定する（ステップＳ２２１）。この結果、弾種情報が戦車弾であることを示していれば（ＹＥＳ）、天候情報が晴れを示しているか否かを判定し（ステップＳ２２０）、天候情報が晴れであることを示していれば（ＹＥＳ）、コンパレータ２１からの出力信号２１０が受信されているか否かを判定する（ステップＳ２２３）。
【００４８】
ステップＳ２２３において出力信号２１０が受信された場合は（ＹＥＳ）、模擬射撃の命中と判定し（ステップＳ２２５）、そうでない場合（ＮＯ）には非命中と判定する（ステップＳ２２４）。
これは、図７にも戦車弾による模擬射撃命中範囲を示しているように（図９においても点線で示されているように）、戦車弾による模擬射撃の命中範囲（データ受信範囲）はロケット砲に比べて狭いため、データを有効とするアンプ２０の出力レベルは最高の５Ｖ以上を必要としていることが示されているので、コンパレータ２１の出力信号２１０が受信できて始めて、制御器３は戦車弾が模擬射撃命中したものと判定できるからである。
【００４９】
これにより、レーザ送信器からの距離に依存せずに、戦車弾の命中範囲約０．１２５ｍ、射程距離約３．５ｋｍを満たすことになる。
一方、ステップＳ２２１において、弾種が戦車弾でない場合には弾種毎のフローに沿った判定を実行する（ステップＳ２２１０）。
【００５０】
さらに、ステップＳ２２２において、天候情報が晴れではないことを示している場合には、図２と同様に天候情報毎のフローに沿って判定を行う（ステップＳ２２２０）。
このようにして、レーザ送信器とレーザ受信器との距離、及びレーザ受信器における受光レベルに加えて更に弾種情報を参照した模擬射撃命中判定を行うことで、弾種毎の命中範囲や射程距離を模擬した命中判定を行うことが可能となる。このため、銃器毎の命中範囲や射程距離を模擬するために、銃器の種類毎に異なるレーザ送信器を用意する必要がなくなる。
【００５１】
【発明の効果】
以上説明したように本発明に係るレーザ受信器によれば、レーザビームを受信した際、予め求めたレーザ送信器とレーザ受信器の距離と受光レベルとの関係に基づき、該距離に加えてレーザ受信器における受光レベルを参照して、レーザビームの受信判定として例えば受信したデータが有効か又は無効かを判定するように構成したので、レーザ送信器が送信するレーザビームのパターンの広がりに関わらずレーザ送信器からの距離に依存しない一定のデータ受信範囲を得ること（データ伝達の直進性を得ること）が可能となる。
【００５２】
同様に、レーザビームを受光した際、上記の距離と受光レベルに加えて、天候情報を参照して受光したレーザビームを受信判定することにより、天候によらない一定のデータ受信範囲が得られる。
更にこのようなレーザ送信器及び受信器を模擬射撃訓練システムに用いるような場合、上記の距離に加えて受光レベルを参照して命中判定を行うことで、実弾の命中範囲に則した命中判定を行うことが可能となる。
【００５３】
同様にレーザ送信器とレーザ受信器の距離とレーザ受信器における受光レベルに加えて弾種情報を参照して命中判定を行うことで、発射した弾種の命中範囲と射程距離に則した命中判定を行うことが可能となる。これにより、銃器毎の射撃距離・命中範囲を模擬するために銃器の種類毎に違ったビームパターンを有するレーザ送信器を用意する必要がなくなるという効果が得られる。
【図面の簡単な説明】
【図１】本発明に係るレーザ受信器の実施例を示した回路ブロック図である。
【図２】本発明に係るレーザ受信器に用いられる制御器の動作例（１）を示したフローチャート図である。
【図３】レーザ送信器とレーザ受信器の距離と受光レベルとを参照した際のデータ受信範囲を示した図である。
【図４】図３におけるレーザ送信器とレーザ受信器の距離毎に設定したデータを有効とするアンプ２０の出力レベルの一例を示した図である。
【図５】本発明に係るレーザ受信器に用いられる制御器の動作例（２）を示したフローチャート図である。
【図６】本発明に係るレーザ受信器に用いられる制御器の動作例（３）を示したフローチャート図である。
【図７】小銃弾においてレーザ送信器とレーザ受信器の距離と受光レベルとを参照した際の命中範囲（データ受信範囲）を示した図である。
【図８】レーザ送信器の一般的な構成例を示したブロック図である。
【図９】レーザ送信器から発射されるレーザビームのパターン例を示した図である。
【図１０】レーザビームを使用した通信システム例を示した図である。
【図１１】図１０の通信システムを模擬射撃訓練システムに適用したときのイメージ例を示した図である。
【符号の説明】
１　　受光素子
２　　レベル検出回路
２０　アンプ
２１〜２５　コンパレータ
３　　制御器
３０　位置標定器
ＶＲ１〜ＶＲ５　　リファレンス電圧
２１０〜２５０　　出力信号
図中、同一符号は同一又は相当部分を示す。
【図１】
2004077080.tif 000004
【図２】
2004077080.tif 000005
【図３】
2004077080.tif 000006
【図４】
2004077080.tif 000007
【図５】
2004077080.tif 000008
【図６】
2004077080.tif 000009
【図７】
2004077080.tif 000010
【図８】
2004077080.tif 000011
【図９】
2004077080.tif 000012
【図１０】
2004077080.tif 000013
【図１１】
2004077080.tif 000014